(57)【特許請求の範囲】
【請求項１】
最上部の足場用建枠の一方の脚柱の上端部に取り付けられる単管取付手段と、上記建枠の他方の脚柱の上部に取り付けられるシート張装部材と、上記単管取付手段に取り付けられて上記建枠の上部一側に沿って配設される第1の単管と、上記シート張装部材に取り付けられて上記建枠の上部他側に沿って配設されると共に外方に移動可能な第2の単管と、上記第1及び第2の単管により張装されるシートと、から成る足場用仮設屋根において、上記シート張装部材が、上記建枠の脚柱の上部に取り付けられる縦枠部と、該縦枠部に沿って摺動可能なスライド部と、基端部が前記スライド部に回動自在に取り付けられると共に先端部に単管保持筒を設けたアーム部と、一端部が上言己縦枠部の上端部に回動自在に取り付けられると共に他端部が上記アーム部の中間に回動自在に取り付けられる斜材と、から構成されることを特徴とする足場用仮設屋根。
【発明の詳細な説明】
【０００１】
【産業上の利用分野】
本発明は、足場用仮設屋根に関する。
【０００２】
【従来の技術】
従来の足場用仮設屋根としては、例えば、建築中の建物の周囲に仮設された外部足場の建枠の上端部にパイプから成る支柱や梁材を取り付けて、該梁材にシートを被覆したものがあった。
【０００３】
【発明が解決しようとする課題】
しかしながら、上記従来のは、次のような解決すべき課題を有している。
１）強風時に簡単に折り畳むことができない。
２）シートに張力がないため、雨溜まりや風によるバタツキが生じ易い。
３）無理な姿勢で取り付け作業を行なわなければならないため、危険である。
【０００４】
本発明は上記従来の課題を解決するためになされたもので、その目的とするところは、折り畳みが簡単かつ迅速にできるだけでなく、雨溜まりや風によるバタツキの心配がなく、安全に設置することができる足場用仮設屋根を提供することにある。
【０００５】
【問題を解決するための手段】
本発明の足場用仮設屋根は、最上部の足場用建枠の一方の脚柱の上端部に取り付けられる単管取付手段と、上記建枠の他方の脚柱の上部に取り付けられるシート張装部材と、上記単管取付手段に取り付けられて上記建枠の上部一側に沿って配設される第1の単管と、上記シート張装部材に取り付けられて上記建枠の上部他側に沿って配設されると共に外方に移動可能な第2の単管と、上記第1及び第2の単管により張装されるシートと、から成る足場用仮設屋根において、上記シート張装部材が、上記建枠の脚柱の上部に取り付けられる縦枠部と、該縦枠部に沿って摺動可能なスライド部と、基端部が前記スライド部に回動自在に取り付けられると共に先端部に単管保持筒を設けたアーム部と、一端部が上言己縦枠部の上端部に回動自在に取り付けられると共に他端部が上記アーム部の中間に回動自在に取り付けられる斜材と、から構成されることを特徴とする。
【０００６】
【実施例】
以下、本発明の一実施例について図面を参照しながら説明する。
図１、図２及び図３において、Ａは足場用建枠であって、主として外側の脚柱Ａ１と内側（建物側）の脚柱Ａ２とこれらの脚柱Ａ１及びＡ２の上端部に水平に取り付けられた横架材Ａ３から構成されている。
【０００７】
上記足場用建枠Ａの一側（本実施例では外側）の脚柱Ａ１の上端部には、パイプにより構成されるＴ型ブラケット１が取り付けられている。該Ｔ型ブラケット１は、上記脚柱Ａ１の上端部に差し込まれる取付筒１ａと、該取付筒１ａの上端部に一体かつ水平方向に取り付けられている単管保持筒１ｂから構成されている。
【０００８】
上記足場用建枠Ａの他側（本実施例では内側）の脚柱Ａ２の上部内側には、主としてパイプにより構成されるシート張装部材２が取り付けられている。該シート張装部材２は縦枠部２ａとアーム部２ｂと斜材２ｃから構成されている。
【０００９】
上記縦枠部２ａは、取付具２ａ′により上記脚柱Ａ２に着脱自在に固定されている。該縦枠部２ａの上端部には単管保持筒２ａ″が一体かつ水平方向に取り付けられている。
【００１０】
上記縦枠部２ａにはスライド部２ｂ′が摺動可能に取り付けられていると共に、該スライド部２ｂ′には上記アーム部２ｂの基端部が回動自在に取り付けられている。該アーム部２ｂの先端部には単管保持筒２ｂ″が一体かつ水平方向に取り付けられている。なお、図３に示すように、上記スライド部２ｂ′は、上記縦枠部２ａに弾性的に突出しているロックピンＰ等のロック装置によりロックされ、該ロックピンＰを押し込むことにより解除されて摺動可能となる。
【００１１】
上記斜材２ｃの一端部は、上記縦枠部２ａの上端部に回動自在に取り付けられていると共に、その他端部は、上記アーム部２ｂの中間に回動自在に取り付けられている。従って、図２から明らかなように、上記スライド部２ｂ′を上記縦枠部２ａに沿って上下に摺動させることにより、上記アーム部２ｂは仮想線で示すように縦枠部２ａに添って折り畳まれたり、実線で示すように縦枠部２ａに対してほぼ垂直状態に位置する。このアーム部２ｂの動きに伴って、その先端部に設けられた単管保持筒２ｂ″は軌跡Ｂを描いて移動する。
【００１２】
３はシートであって、上記脚柱Ａにより構成される枠組み足場の上部およびその内側の建物との間の空間を覆うようになっている。さらに詳細には、上記シート３の外端縁は、上記外側の脚柱Ａ１の上部にほぼ水平に組み付けられた単管４に結び付けられると共に、その内端縁は、上記アーム部２ｂの先端の単管保持筒２ｂ″にほぼ水平に取り付けられた単管５に結び付けられる。上記シート３の側端縁には、例えば、面ファスナー３ａが付設されていて、隣設されるシートに接続可能となっている。
【００１３】
次に、上記実施例の仮設足場の取付について説明する。
まず、図５に示すように、組み付けられた外部足場の最上部の建枠Ａの外側の脚柱Ａ１にＴ型ブラケット１の取付筒１ｂを差し込んで取り付ける。
【００１４】
続いて、図６に示すように、上記建枠Ａの内側の脚柱Ａ２の上部内側に、取付具２ａ′を介してシート張装部材２を取り付ける。
【００１５】
上記Ｔ型ブラケット１およびシート張装部材２の取り付けが完了すると、図７に示すように、上記Ｔ型ブラケット１の単管保持筒１ｂに単管６を挿入し、適宜締付けボルト（図示せず）等により組付け固定する。また、上記シート張装部材２の単管保持筒２ａ″には単管７を、単管保持筒２ｂ″には上記単管５をそれぞれ挿入して固定する。
【００１６】
さらに、図８に示すように、外側の脚柱Ａ１にクランプ止め８により上記単管４を取り付け固定する。
【００１７】
最後に、シート３を上記単管６および７に掛け渡して、その外端縁を締結バンド９により上記単管４に取り付け接続すると共に、内端部を締結バンド９により上記単管５に取り付け接続する。
【００１８】
シート３の取り付けが終了したら、図３に示すように、シート張装部材２のスライド部２ｂ′を仮想線状態から実線状態に移動させて、アーム部２ｂを水平状態に張り出し、シート３を張装する。
【００１９】
上記実施例のシート張装部材２は、それぞれ２本が１組となった縦枠部２ａとアーム部２ｂと斜材２ｃから構成されていて、隣設するシート３を独立して張装したり閉じることが可能となっているが、隣設のシート３を同時に作動せしめる場合や、仮設屋根の端部に位置するシートの外端部に設ける場合には、シート張装部材２は各１本の縦枠部２ａとアーム部２ｂと斜材２ｃから構成してもよい。
【００２０】
【発明の効果】
本発明の足場用仮設屋根は、折り畳みが簡単かつ迅速にできるだけでなく、雨溜まりや風によるバタツキの心配がなく、安全に設置することができる。
【図面の簡単な説明】
【図１】本発明の足場用仮設屋根を内側（建物側）から見た斜視図である。
【図２】図１の仮設屋根を外側から見た斜視図である。
【図３】図１の実施例の要部の作用説明図である。
【図４】図３の矢視イ方向から見た側面図である。
【図５】Ｔ型ブラケットの取付作業の説明図である。
【図６】シート張装部材の取付作業の説明図である。
【図７】単管の取付け作業の説明図である。
【図８】単管の組付け作業の説明図である。
【図９】シートの結び付け作業の説明図である。
【符号の説明】
１  Ｔ型ブラケット
１ａ  取付筒
１ｂ  単管保持筒
２  シート張装部材
２ａ  縦枠部
２ａ′取付具
２ａ″単管保持筒
２ｂ  アーム部
２ｂ′スライド部
２ｂ″単管保持筒
２ｃ  斜材
３  シート
３ａ  面ファスナー
４  単管
５  単管
Ａ  足場用建枠
Ａ１  脚柱
Ａ２  脚柱
Ａ３  横架材
Ｂ  軌跡
【図１】
0003558142.tif 000002
【図２】
0003558142.tif 000003
【図３】
0003558142.tif 000004
【図４】
0003558142.tif 000005
【図５】
0003558142.tif 000006
【図６】
0003558142.tif 000007
【図７】
0003558142.tif 000008
【図８】
0003558142.tif 000009
【図９】
0003558142.tif 000010